(57)【要約】【課題】ＨＤＤへのアクセス中の電源オフによるデータの破壊やＨＤＤの破壊を防ぐことができるプリンタを提供する。【解決手段】パソコン１から送られてくるデータを受信して印刷データに変換しＨＤＤ１４に蓄積するプリンタ２において、供給される電源電圧を監視する電源電圧監視手段１７と、電源電圧監視手段１７により電源電圧が低下したことが検知されたとき供給電源を２次電源へ切り替える電源−２次電源切替手段１８と、各手段を制御する制御手段１２とを備えた。【選択図】      図２
2004268303.tif 000002
【特許請求の範囲】
【請求項１】
パソコンから送られてくるデータを受信して印刷データに変換し記憶装置に蓄積するプリンタにおいて、供給される電源電圧を監視する電源電圧監視手段と、該電源電圧監視手段により電源電圧が低下したことが検知されたとき供給電源を２次電源へ切り替える２次電源切替手段と、前記各手段を制御する制御手段とを備えたことを特徴とするプリンタ。
【請求項２】
請求項１記載のプリンタにおいて、前記制御手段は、前記記憶装置へのアクセス中に電源がオフになったとき供給電源を２次電源に切り替えるように制御することを特徴とするプリンタ。
【請求項３】
請求項２記載のプリンタにおいて、前記制御手段は、供給電源を２次電源に切り替えた後、前記記憶装置の通常のアクセスが正常に終了した後に前記２次電源からの電源供給を停止するように制御することを特徴とするプリンタ。
【請求項４】
請求項２記載のプリンタにおいて、前記制御手段は、前記供給電源を２次電源に切り替えた後、前記記憶装置にリセット信号を送信し該記憶装置へのアクセスを強制終了させるると共に、前記２次電源からの電源供給を停止するように制御することを特徴とするプリンタ。
【請求項５】
請求項２記載のプリンタにおいて、前記制御手段は、前記供給電源を２次電源に切り替えた後、優先度の高いデータのみ前記記憶装置への書き込みを行い、優先度の低いデータは書き込まず前記記憶装置へのアクセスを終了させると共に、前記２次電源からの電源供給を停止するように制御することを特徴とするプリンタ。
【請求項６】
パソコンから送られてくるデータを受信して印刷データに変換し記憶装置に蓄積するプリンタにおいて、前記記憶装置のアクセス中の急な電源オフを防止するために前記記憶装置へのアクセスを監視する記憶装置動作検知手段と、前記記憶装置のアクセス中に電源スイッチがオフされたことを監視する電源電圧監視手段と、前記記憶装置のアクセス中に電源スイッチがオフされたときでも前記記憶装置の通常のアクセスが終了するまで電源をオフしないようにする電源オフ／オン制御手段と、前記各手段を制御する制御手段とを備えたことを特徴とするプリンタ。
【請求項７】
パソコンから送られてくるデータを受信して印刷データに変換し記憶装置に蓄積するプリンタにおいて、前記記憶装置のアクセス中の急な電源オフを防止するために前記記憶装置へのアクセスを監視する記憶装置動作検知手段と、前記記憶装置のアクセス中に電源スイッチがオフされたことを監視する電源電圧監視手段と、前記記憶装置のアクセス中に電源スイッチがオフされたときは、前記記憶装置にリセット信号を送信し該記憶装置へのアクセスを強制終了させる記憶装置停止信号送信手段と、前記記憶装置へのアクセスが終了するまで電源をオフしないようにする電源オフ／オン制御手段と、前記各手段を制御する制御手段とを備えたことを特徴とするプリンタ。
【請求項８】
請求項６、７記載のプリンタにおいて、前記制御手段は、前記記憶装置のアクセス中に電源スイッチがオフされたときは、優先度の高いデータのみ前記記憶装置へのデータ書き込みを行い、優先度の低いデータは書き込まず前記記憶装置へのアクセスを終了させ、前記記憶装置へのアクセスが終了するまで電源をオフさせないよう制御することを特徴とするプリンタ。
【発明の詳細な説明】
【０００１】
【発明の属する技術分野】
本発明は、パソコンから送られてくるデータを受信して印刷データに変換しＨＤＤに蓄積するプリンタに関するものである。
【０００２】
【従来の技術】
上位装置であるホストパソコンで作成されたデータを解読して印刷出力するプリンタに関連して、特許文献１、２、３、４に記載の技術がある。
【特許文献１】特開２０００−３５７０５９公報
【特許文献２】特開２００１−０８４０６３公報
【特許文献３】特開２００２−２８３６６１公報
【特許文献４】特開平０６−１９８９８１号公報
【０００３】
【発明が解決しようとする課題】
近年のプリンタでは、使用するメモリの大容量化に伴い、ＨＤＤといったメモリを用いて内部にデータを蓄積して処理するシステムが増えてきた。しかし、ＨＤＤへのアクセス中に電源がオフされると書き込み中のデータの破壊やＨＤＤそのものの破壊を招く恐れがある。
そこで本発明は、ＨＤＤへのアクセス中の電源オフによるデータの破壊やＨＤＤの破壊を防ぐことができるプリンタを提供することを目的とする。
【０００４】
【課題を解決するための手段】
上記目的を達成するために、請求項１記載の発明は、パソコンから送られてくるデータを受信して印刷データに変換し記憶装置に蓄積するプリンタにおいて、供給される電源電圧を監視する電源電圧監視手段と、該電源電圧監視手段により電源電圧が低下したことが検知されたとき供給電源を２次電源へ切り替える２次電源切替手段と、前記各手段を制御する制御手段とを備えたことを特徴とする。
請求項２は、請求項１記載のプリンタにおいて、前記制御手段は、前記記憶装置へのアクセス中に電源がオフになったとき供給電源を２次電源に切り替えるように制御することを特徴とする。
請求項３は、請求項２記載のプリンタにおいて、前記制御手段は、供給電源を２次電源に切り替えた後、前記記憶装置の通常のアクセスが正常に終了した後に前記２次電源からの電源供給を停止するように制御することを特徴とする。
請求項４は、請求項２記載のプリンタにおいて、前記制御手段は、前記供給電源を２次電源に切り替えた後、前記記憶装置にリセット信号を送信し該記憶装置へのアクセスを強制終了させるると共に、前記２次電源からの電源供給を停止するように制御することを特徴とする。
請求項５は、請求項２記載のプリンタにおいて、前記制御手段は、前記供給電源を２次電源に切り替えた後、優先度の高いデータのみ前記記憶装置への書き込みを行い、優先度の低いデータは書き込まず前記記憶装置へのアクセスを終了させると共に、前記２次電源からの電源供給を停止するように制御することを特徴とする。
【０００５】
請求項６は、パソコンから送られてくるデータを受信して印刷データに変換し記憶装置に蓄積するプリンタにおいて、前記記憶装置のアクセス中の急な電源オフを防止するために前記記憶装置へのアクセスを監視する記憶装置動作検知手段と、前記記憶装置のアクセス中に電源スイッチがオフされたことを監視する電源電圧監視手段と、前記記憶装置のアクセス中に電源スイッチがオフされたときでも前記記憶装置の通常のアクセスが終了するまで電源をオフしないようにする電源オフ／オン制御手段と、前記各手段を制御する制御手段とを備えたことを特徴とする。
請求項７は、パソコンから送られてくるデータを受信して印刷データに変換し記憶装置に蓄積するプリンタにおいて、前記記憶装置のアクセス中の急な電源オフを防止するために前記記憶装置へのアクセスを監視する記憶装置動作検知手段と、前記記憶装置のアクセス中に電源スイッチがオフされたことを監視する電源電圧監視手段と、前記記憶装置のアクセス中に電源スイッチがオフされたときは、前記記憶装置にリセット信号を送信し該記憶装置へのアクセスを強制終了させる記憶装置停止信号送信手段と、前記記憶装置へのアクセスが終了するまで電源をオフしないようにする電源オフ／オン制御手段と、前記各手段を制御する制御手段とを備えたことを特徴とする。
請求項８は、請求項６、７記載のプリンタにおいて、前記制御手段は、前記記憶装置のアクセス中に電源スイッチがオフされたときは、優先度の高いデータのみ前記記憶装置へのデータ書き込みを行い、優先度の低いデータは書き込まず前記記憶装置へのアクセスを終了させ、前記記憶装置へのアクセスが終了するまで電源をオフさせないよう制御することを特徴とする。
【０００６】
【発明の実施の形態】
以下、図面により本発明の実施の形態を詳細に説明する。
図１はプリンタシステムの構成図、図２は本発明の実施の形態に係るプリンタの機能ブロック図である。
上位装置である外部装置（パソコン）１とプリンタ２がネットワーク３で接続されている。図２に示すように、プリンタ２において、データ送受信手段１１は、外部装置１との間でネットワーク３を介して印刷データ若しくは制御データを送受信する。また一時的なデータ格納が可能である。ＣＰＵ（マイクロプロセッサ）１２は、プリンタ２全体の制御を司る。
メモリ１３は、外部装置１からネットワーク３を介して送信された印刷データの画像イメージデータを形成したり、ＣＰＵ１２がデータを処理する際に一時的にデータを格納したり、プリンタ２の収集の設定情報が格納されている。ＨＤＤ装置１４は、メモリ１３に形成された画像イメージデータを格納したり、必要に応じて格納データの読み出しが可能である。
ＨＤＤ動作検知手段１５は、ＨＤＤ装置１４への読み書きで動作中であるかどうかの検出を行う。ＨＤＤ停止信号送信手段１６は、ＨＤＤ装置１４へ読み書き動作停止の信号（リセット信号）を送信する。電源電圧監視手段１７は、プリンタ２に供給される電源の電圧を監視する。電源−２次電源切替手段１８は、プリンタ２に供給される電源を外部電源と２次電源とに切り替える。
電源オフ／オン制御手段１９は、プリンタ２に供給される電源を電源スイッチに関係なくオフ／オンする。画像形成手段２０は、メモリ１３により形成された画像イメージデータ若しくは、ＨＤＤ装置１４に一時的に格納されている画像イメージデータを読み出して、記録紙に印字する。
【０００７】
図３〜図６は本発明の制御動作を示すフローチャートである。
図３（１）に示す第１実施例では、電源スイッチオフや停電等により電圧が低下すると、電源電圧低下を検知し供給電源を２次電池や大容量のコンデンサといった２次電源へ切り替える（Ｓ１、Ｓ２）。
図３（２）に示す第２実施例では、ＨＤＤ装置１４へのアクセス中に電源スイッチオフや停電等により電圧が低下すると、供給電源を２次電池や大容量のコンデンサといった２次電源に切り替える（Ｓ１〜Ｓ４）。
図３（３）に示す第３実施例では、第２実施例において、供給電源を２次電源に切り替えた後、ＨＤＤ装置１４の通常のアクセスが正常に終了するまで待ち、アクセス終了後２次電源からの電源供給を停止する（Ｓ１〜Ｓ６）。
図４（４）に示す第４実施例では、第２実施例において、供給電源を２次電源に切り替えた後、ＨＤＤ装置１４にリセット信号を送信してＨＤＤ装置１４へのアクセスを強制終了させ、アクセス終了後２次電源からの電源供給を停止する（Ｓ１〜Ｓ７）。
図４（５）に示す第５実施例では、第２実施例において、供給電源を２次電源に切り替えた後、ＨＤＤ装置１４へのデータ書き込みで、優先度の高いデータが残っているかを判断し優先度の高いデータは書き込み、優先度の低いデータは書き込まずＨＤＤ装置１４へのアクセスを終了させ、２次電源からの電源供給を停止する（Ｓ１〜Ｓ７）。
図５（６）に示す第６実施例では、ＨＤＤ装置１４のアクセス中に急に電源スイッチがオフされたとき、ＨＤＤ装置１４へのアクセスを検知し、ＨＤＤ装置１４のアクセス中のときは供給電源をオフにせず、ＨＤＤ装置１４のアクセスが終了してから供給電源をオフする（Ｓ１〜Ｓ５）。
図５（７）に示す第７実施例では、ＨＤＤ装置１４のアクセス中に急に電源スイッチがオフされたとき、ＨＤＤ装置１４へのアクセスを検知し、ＨＤＤ装置１４にリセット信号を送信してＨＤＤ装置１４へのアクセスを強制終了させ、ＨＤＤ装置１４へのアクセスが終了すると供給電源をオフする（Ｓ１〜Ｓ６）。
図６（８）に示す第８実施例では、ＨＤＤ装置１４のアクセス中に急に電源スイッチをオフされたときは、ＨＤＤ装置１４へのデータ書き込みで、優先度の高いデータが残っているかを判断し、優先度の高いデータは書き込み、優先度の低いデータは書き込まずＨＤＤへのアクセスを終了させ、ＨＤＤ装置１４へのアクセスが終了すると供給電源をオフする（Ｓ１〜Ｓ６）。
【０００８】
【発明の効果】
以上説明したように、請求項１ないし３においては、急な電源オフ時にでも電源を２次電源に切り替えるので、ＨＤＤのアクセス中でも正常にアクセスを終了させることができ、データの消失を防ぐことができる。
請求項４においては、急な電源オフ時にでも電源を２次電源に切り替えるので、ＨＤＤのアクセス中でも正常にアクセスを終了させることができ、ＨＤＤの破壊を防ぐことができる。
請求項５においては、急な電源オフ時にでも電源を２次電源に切り替えるので、ＨＤＤのアクセス中でも正常にアクセスが終了させることができ、優先度の高いデータの消失を防ぐことができる。
請求項６においては、ＨＤＤへのアクセス中に電源スイッチをオフしたときでもＨＤＤのアクセス中は電源をオフできないようになっているので＜データの消失を防ぐことができる。
請求項７、８においては、ＨＤＤへのアクセス中に電源スイッチをオフしたときでもＨＤＤのアクセス中は電源をオフできないようになっているので、ＨＤＤの破壊を防ぐことができる。
【図面の簡単な説明】
【図１】プリンタシステムの構成図である。
【図２】本発明の実施の形態に係るプリンタの機能ブロック図である。
【図３】本発明の制御動作を示すフローチャートである。
【図４】本発明の制御動作を示すフローチャートである。
【図５】本発明の制御動作を示すフローチャートである。
【図６】本発明の制御動作を示すフローチャートである。
【符号の説明】
１  外部装置（パソコン）、２  プリンタ、３  ネツトワーク、１２  ＣＰＵ（制御手段）、１４  ＨＤＤ装置、１７  電源電圧監視手段、１８  電源−２次電源切替手段
【図１】
2004268303.tif 000003
【図２】
2004268303.tif 000004
【図３】
2004268303.tif 000005
【図４】
2004268303.tif 000006
【図５】
2004268303.tif 000007
【図６】
2004268303.tif 000008